(57)【特許請求の範囲】
【請求項１】
横方向に延長する支持部に上縁部分が着脱可能に支持されるカーテンを、昇降コードの昇降操作によって、ひだ状部分が積み重なる状態で引き上げ可能となされ、該カーテンが完全に下ろされた状態において、該カーテンに、上下方向に所要間隔を置いてひだ状折り返し部が形成されるようになされた引き上げ式カーテン装置であって、
前記カーテンの幅方向の少なくとも両側の後面側において、上下方向に延長する如く、テープ状又は紐状を呈する間隔規制部材が配置されるようになされており、該間隔規制部材は、その上端側が前記支持部に固定状態とされると共に、その下端側が前記カーテンの下方部分に着脱可能に固定状態とされる如くなされており、又前記間隔規制部材の、前記ひだ状折り返し部の上端と略対向する高さ位置に、前記昇降コードを挿通させるコード挿通部を有する案内部材が設けられ、該昇降コードの下端側が、前記間隔規制部材の下方部分に固定状態とされてなり、
又前記案内部材には、前記カーテンの前面側に位置せしめられ且つ該カーテンと分離可能の保持部材が一体的に取り付けられるように構成されると共に、カーテンの前面側においてカーテン幅方向に並ぶ、各保持部材の有する保持片に、カーテン幅方向に延長する直線状の支持バーが着脱可能に保持される如くなされており、前記カーテンが完全に下ろされた状態で、該保持された支持バーが、前記ひだ状折り返し部の上端を下方から支持する如くなされ、該ひだ状折り返し部は、前記支持バーで支持されて下方に垂れ下がりその下端でＵ字状に折り返されて立ち上がるようになされており、この状態で前記昇降コードを引き上げ操作することにより、前記カーテンを、ひだ状部分が積み重なる状態で引き上げ可能となされていることを特徴とする引き上げ式カーテン装置。
【請求項２】
横方向に延長する支持部に上縁部分が着脱可能に支持されるカーテンを、昇降コードの昇降操作によって、ひだ状部分が積み重なる状態で引き上げ可能となされ、該カーテンが完全に下ろされた状態において、該カーテンに、上下方向に所要間隔を置いてひだ状折り返し部が形成されるようになされた引き上げ式カーテン装置であって、
前記カーテンの幅方向の少なくとも両側の後面側において、上下方向に延長する如く、テープ状又は紐状を呈する間隔規制部材が配置されるようになされており、該間隔規制部材は、その上端側が前記支持部に固定状態とされると共に、その下端側が前記カーテンの下方部分に着脱可能に固定状態とされる如くなされており、又前記間隔規制部材の、前記ひだ状折り返し部の上端と略対向する高さ位置に、前記昇降コードを挿通させるコード挿通部を有する案内部材が設けられ、該昇降コードの下端側が、前記間隔規制部材の下方部分に固定状態とされてなり、
又前記案内部材に、前記保持部材が一体的に取り付けられ、該保持部材が、前記カーテンに設けた開口をその後側から前側に向けて分離可能に挿通し、該保持部材の有する保持片が、前記カーテンの前面側に位置せしめられるように構成されており、
又、カーテンの前面側においてカーテン幅方向に並ぶ各保持片に、カーテン幅方向に延長する直線状の支持バーが着脱可能に保持される如くなされており、前記カーテンが完全に下ろされた状態で、該保持された支持バーが、前記ひだ状折り返し部の上端を下方から支持する如くなされ、該ひだ状折り返し部は、前記支持バーで支持されて下方に垂れ下がりその下端でＵ字状に折り返されて立ち上がるようになされており、この状態で前記昇降コードを引き上げ操作することにより、前記カーテンを、ひだ状部分が積み重なる状態で引き上げ可能となされていることを特徴とする引き上げ式カーテン装置。
【請求項３】
横方向に延長する支持部に上縁部分が着脱可能に支持されるカーテンを、昇降コードの昇降操作によって、ひだ状部分が積み重なる状態で引き上げ可能となされ、該カーテンが完全に下ろされた状態において、該カーテンに、上下方向に所要間隔を置いてひだ状折り返し部が形成されるようになされた引き上げ式カーテン装置であって、
前記カーテンの幅方向の少なくとも両側の後面側において、上下方向に延長する如く、テープ状又は紐状を呈する間隔規制部材が配置されるようになされており、該間隔規制部材は、その上端側が前記支持部に固定状態とされると共に、その下端側が前記カーテンの下方部分に着脱可能に固定状態とされる如くなされており、又前記間隔規制部材の、前記ひだ状折り返し部の上端と略対向する高さ位置に、前記昇降コードを挿通させるコード挿通部を有する案内部材が設けられ、該昇降コードの下端側が、前記間隔規制部材の下方部分に固定状態とされてなり、
又前記案内部材には、カーテンの前面側に位置せしめられ且つ該カーテンと分離可能の保持部材が一体的に取り付けられるように構成され、該保持部材は、前記案内部材と別体であり、且つ前記カーテンをその前側から後側に挿通する連結部を有し、このように挿通した連結部が、前記案内部材に一体的に取り付けられるように構成されており、
又、カーテンの前面側においてカーテン幅方向に並ぶ、各保持部材の有する保持片に、カーテン幅方向に延長する直線状の支持バーが着脱可能に保持される如くなされており、前記カーテンが完全に下ろされた状態で、該保持された支持バーが、前記ひだ状折り返し部の上端を下方から支持する如くなされ、該ひだ状折り返し部は、前記支持バーで支持されて下方に垂れ下がりその下端でＵ字状に折り返されて立ち上がるようになされており、この状態で前記昇降コードを引き上げ操作することにより、前記カーテンを、ひだ状部分が積み重なる状態で引き上げ可能となされていることを特徴とする引き上げ式カーテン装置。
【請求項４】
横方向に延長する支持部に上縁部分が着脱可能に支持されるカーテンを、昇降コードの昇降操作によって、ひだ状部分が積み重なる状態で引き上げ可能となされ、該カーテンが完全に下ろされた状態において、該カーテンに、上下方向に所要間隔を置いてひだ状折り返し部が形成されるようになされた引き上げ式カーテン装置であって、
前記カーテンの幅方向の少なくとも両側の後面側において、上下方向に延長する如く、テープ状又は紐状を呈する間隔規制部材が配置されるようになされており、該間隔規制部材は、その上端側が前記支持部に固定状態とされると共に、その下端側が前記カーテンの下方部分に着脱可能に固定状態とされる如くなされており、又前記間隔規制部材の、前記ひだ状折り返し部の上端と略対向する高さ位置に、前記昇降コードを挿通させるコード挿通部を有する案内部材が設けられ、該昇降コードの下端側が、前記間隔規制部材の下方部分に固定状態とされてなり、
又前記案内部材には、カーテンの前面側に位置せしめられ且つ該カーテンと分離可能の保持部材が一体的に取り付けられるように構成され、該保持部材は、前記案内部材と別体であり、且つ該案内部材には、前記カーテンをその後側から前側に挿通する連結部を有し、このように挿通した連結部が、前記保持部材に一体的に取り付けられるように構成されており、
又、カーテンの前面側においてカーテン幅方向に並ぶ、各保持部材の有する保持片に、カーテン幅方向に延長する直線状の支持バーが着脱可能に保持される如くなされており、前記カーテンが完全に下ろされた状態で、該保持された支持バーが、前記ひだ状折り返し部の上端を下方から支持する如くなされ、該ひだ状折り返し部は、前記支持バーで支持されて下方に垂れ下がりその下端でＵ字状に折り返されて立ち上がるようになされており、この状態で前記昇降コードを引き上げ操作することにより、前記カーテンを、ひだ状部分が積み重なる状態で引き上げ可能となされていることを特徴とする引き上げ式カーテン装置。
【請求項５】
前記保持部材と前記案内部材とが、垂直面内で回動可能であることを特徴とする請求項１、２、３又は４記載の引き上げ式カーテン装置。
【請求項６】
前記案内部材は、本体の上下端に、カーテンの後方に向けて突出するＵ字状のガイド片が設けられ、該上下のガイド片の有する透孔が前記コード挿通部を形成しており、該上のガイド片の上端と該下のガイド片の下端が水平の平坦面に形成されていることを特徴とする請求項１、２、３、４又は５記載の引き上げ式カーテン装置。
【請求項７】
前記保持部材は、前記支持バーを着脱可能に弾性的に保持することを特徴とする請求項１、２、３又は４記載の引き上げ式カーテン装置。
【請求項８】
前記間隔規制部材は、その下端側が、前記カーテンの下方部分に着脱可能に取り付けられたウエイトバーに固定状態とされていることを特徴とする請求項１、２、３又は４記載の引き上げ式カーテン装置。
【請求項９】
前記支持部は、長さ方向に移動し得るランナーが設けられたカーテンレールに着脱可能の支持杆として構成され、該支持杆は、前記カーテンレールの長さに合わせて伸縮可能に構成されると共に、前記カーテンレールの長さに略合わせて長さ調節された状態で、その少なくとも一端側が、前記カーテンレールの一端部側に着脱可能に止着されるものとなされ、又該支持杆は、前記ランナーの所要のものに着脱可能に掛着し得る掛着片を有すことを特徴とする請求項１、２、３又は４記載の引き上げ式カーテン装置。
【請求項１０】
前記支持部は、長さ方向に移動し得るランナーが設けられたカーテンレールに着脱可能の支持杆として構成され、該支持杆は、前記カーテンレールの長さに合わせて伸縮可能に構成されると共に、前記カーテンレールの長さに略合わせて長さ調節された状態で，その少なくとも一端側が、前記カーテンレールの一端部側に着脱可能に止着されるものとなされ、又該支持杆は、前記ランナーの所要のものに着脱可能に掛着し得る掛着片を有し、該支持杆のいずれか一方の端部側にロック具が取り付けられており、
又前記間隔規制部材は、その下端側が、前記カーテンの下方部分に着脱可能に取り付けられたウエイトバーに固定状態とされており、
又前記昇降コードが前記ロック具のコード案内路に挿通せしめられ、該コード案内路を通った昇降コードを下方に引くことによって、前記カーテンが、ひだ状部分が積み重なる状態に引き上げられる如くなされ、所要の引き上げ状態で、前記昇降コードが前記ロック具によりロックされることを特徴とする請求項１、２、３又は４記載の引き上げ式カーテン装置。
【請求項１１】
前記間隔規制部材の下端側が、前記カーテンの下方部分に着脱可能に取り付けられたウエイトバーに固定状態とされる場合、該ウエイトバーが、前記カーテンの幅に合わせて伸縮可能に構成されていることを特徴とする請求項９又は１０記載の引き上げ式カーテン装置。
【発明の詳細な説明】
【０００１】
【発明の属する技術分野】
本発明は引き上げ式カーテン装置に関するものであり、より詳しくは、カーテンが完全に下ろされた状態において、該カーテンに、上下方向に所要間隔を置いてひだ状折り返し部が形成されるようになされ、該カーテンに付設された昇降コードの昇降操作によって該カーテンを、ひだ状部分が積み重なる状態に引き上げ可能となされた引き上げ式カーテン装置に関するものである。
【０００２】
【従来の技術】
近年、ひだ状部分が積み重なる状態に引き上げ可能となされた引き上げ式カーテン装置が好評を博しているが、この種のカーテン装置にあっては、カーテンが完全に下ろされた状態においては、該カーテンが垂直方向で完全に伸びきって平面状を呈するものが一般的であった。しかしながら、かかるカーテン装置によるときは、下ろされたカーテンの外観が単調となる問題があった他、カーテンが薄地に形成された場合はその遮蔽機能が不十分となって、外から室内が見えやすい問題があった。
【０００３】
そこで、かかる問題点を解決せんとして、実開昭５９−３６７８４号に係るたくし上げカーテンが提案されている。
該たくし上げカーテンａは、図２８〜２９に示すように、昇降コードｂの昇降操作によってカーテンｃを、ひだ状部分が積み重なる状態に引き上げ可能に構成されると共に、カーテンｃを完全に下ろした状態においては、該カーテンに、上下方向に所要間隔を置いてひだ状折り返し部ｄが形成されるように構成されていた。そして、前記カーテンの裏面に、上下方向に一定の間隔を置いて水平の補強用テープｅが貼着され、これにコード挿通部ｆが取り付けられており、上下隣り合うコード挿通部ｆ，ｆ間の間隔を、カーテンの対応部分の上下長さよりも短く保つコード状スペーサｇを設ける構成を有し、該コード状スペーサｇの上下端がコード挿通部ｆ，ｆに結合されていた。又、前記昇降コードｂが各コード挿通部ｆに通されると共に、該昇降コードｂの下端側ｈがカーテンの下端部分ｊに固定され、該昇降コードｂを引き上げ操作することにより、カーテンｃを、ひだ状部が積み重なる状態に引き上げ可能となされていた。
【０００４】
又図３０〜３１は、カーテンｃを完全に下ろした状態において、上下方向に所要間隔を置いてひだ状折り返し部ｄが形成される引き上げ式カーテン装置の他の態様を示すものであり、該ひだ状折り返し部ｄの上縁に沿わせて、該ひだ状折り返し部ｄの上縁の形態を保持する支持用バーｋを挿入させるための管状部ｍを縫製ｍ１（図３１）により形成すると共に、各管状部ｍに前記支持用バーｋを挿通させた構成を有していた。又、昇降コードｂを通すコード挿通部ｆが、前記管状部ｍの上下配置に合わせて上下所要間隔で取り付けられてなるコードガイドテープｎを、該コード挿通部ｆが前記管状部ｍの所要部位に存するように位置決めして、前記カーテンｃに縫製していた。そして、上下方向に並設された各コード挿通部ｆに前記昇降コードｂを挿通せしめ、その下端を最下段のコード挿通部ｆＡに固定し、これにより、昇降コードｂを引き上げ操作することにより前記カーテンを、ひだ状部分が積み重なる状態に引き上げ可能となされていた。
【０００５】
【特許文献１】
実開昭５９−３６７８４号公報（第２−３頁、第１図、第２図、第３図）
【０００６】
【発明が解決しようとする課題】
しかしながら、前者（図２８〜２９）及び後者（図３０〜３１）の引き上げ式カーテン装置によるときには次のような問題点があった。
(1) 前者の引き上げ式カーテン装置によるときは、カーテンが完全に下ろされた状態において形成される前記ひだ状折り返し部ｄの上縁ｐが、前記補強用テープｅを介してカーテン幅方向に間隔を置いて配設された前記スペーサｇによって支持されているに過ぎなかったため、カーテン幅方向で隣り合うスペーサ間の部分ｑが下方に垂れやすく、その結果、前記ひだ状折り返し部が締まりのない状態になって、カーテンの外観を損なう問題があった。勿論、前記補強用テープｅは、前記スペーサー間の部分が垂れた状態になるのを極力防止するものではあるが、その剛性如何によっては、前記垂れた状態になるのを防止できなかったのである。
【０００７】
又、このように補強用テープｅをカーテンｃに貼着した場合は、カーテンが完全に下ろされた状態を側面から見た場合に、図２９に示すように、該補強用テープの上縁ｓにおいてカーテンｃが鋭角的に折れ曲がった状態となり、前記ひだ状折り返し部ｄの上縁部分ｔが自然なカーブで湾曲せず、カーテンの外観を損なう問題があった。
【０００８】
加えて、夫々の補強用テープｅはカーテンｃに貼着されるものであるが、該補強用テープｅを、その全長に亘ってカーテンに正しく位置決めして貼着する必要があったため、その位置決め作業に非常な面倒さが伴い、又、多くの作業時間を要した。
【０００９】
その上、カーテンを洗濯する際は、前記補強用テープｅの夫々をカーテンｃから取り外さなければならない面倒さがあったばかりか、洗濯後においては改めて、前記補強用テープｅを正しく位置決めしてカーテンｃに貼着し直さなければならない面倒さがあった。
【００１０】
(2) 又後者の引き上げ式カーテン装置によるときは、前者の装置とは異なり、前記支持用バーｋによって、ひだ状折り返し部ｄの上縁部ｕの直線性を確実に確保できる利点はあったが、前記管状部ｍを縫製ｍ１により形成すると共に、前記コードガイドテープｎを、カーテンｃに、コード挿通部ｆがカーテンの幅方向で正しく並設されるように位置決めして縫製する必要があった。そのため、かかる縫製作業を正確に行うには、カーテンに位置決め線を設け、この位置決め線に前記コードガイドテープｎを位置合わせして縫製しなければならない面倒さがあったばかりか、これらの縫製作業に多くの手間を要し、カーテン装置の製造コストの上昇を招く問題があった。
【００１１】
更に、前記管状部ｍに支持用バーｋを挿入した状態でカーテンに膨らみが形成されるためにカーテンの外観が損なわれる問題があった。又、該膨らんだ管状部ｍによって、図３０に示すように、前記ひだ状折り返し部ｄの上縁部分ｕが鋭角的に折れ曲がった状態となって、カーテンの外観を損なう問題もあった。その他、前記管状部ｍを形成する縫い目が目立ってカーテンの外観を損なう問題もあった。
【００１２】
更に加えて、カーテンを洗濯する際は、その都度、前記支持用バーｋを抜き取らなければならず、洗濯後においては、該抜き取った支持用バーｋを前記管状部ｍに挿入し直さなければならない面倒さがあった。そして、管状部ｍに支持用バーｋを挿入したときに該支持用バーｋが脱落しないようにするため、該管状部ｍの両端部を縫製して閉じる必要があるが、支持用バーを取り外す際には管状部の一端部の縫製をほどかなければならない面倒さがあると共に、支持用バーを管状部に挿入した後は、管状部の端部を縫製により再び閉じなければならない面倒さを伴った。
【００１３】
このように、前記後者の引き上げ式カーテン装置によるときは、カーテンの見栄えが悪い欠点があった他、カーテン装置の製造工程が複雑化し、又、カーテンを洗濯する際も、前記のような各種の面倒な作業を強いられる問題があったのである。
【００１４】
【課題を解決するための手段】
前記課題を解決するため、本発明は以下の手段を採用する。
即ち本発明に係る引き上げ式カーテン装置（第１の態様）は、横方向に延長する支持部に上縁部分が着脱可能に支持されるカーテンを、昇降コードの昇降操作によって、ひだ状部分が積み重なる状態で引き上げ可能となされ、該カーテンが完全に下ろされた状態において、該カーテンに、上下方向に所要間隔を置いてひだ状折り返し部が形成されるようになされた引き上げ式カーテン装置であって、前記カーテンの幅方向の少なくとも両側の後面側において、上下方向に延長する如く、テープ状又は紐状を呈する間隔規制部材が配置されるようになされており、該間隔規制部材は、その上端側が前記支持部に固定状態とされると共に、その下端側が前記カーテンの下方部分に着脱可能に固定状態とされる如くなされている。又前記間隔規制部材の、前記ひだ状折り返し部の上端と略対向する高さ位置に、前記昇降コードを挿通させるコード挿通部を有する案内部材が設けられ、該昇降コードの下端側が、前記間隔規制部材の下方部分に固定状態とされている。又前記案内部材には、前記カーテンの前面側に位置せしめられ且つ該カーテンと分離可能の保持部材が一体的に取り付けられるように構成されると共に、カーテンの前面側においてカーテン幅方向に並ぶ、各保持部材の有する保持片に、カーテン幅方向に延長する直線状の支持バーが着脱可能に保持される如くなされており、前記カーテンが完全に下ろされた状態で、該保持された支持バーが、前記ひだ状折り返し部の上端を下方から支持する如くなされ、該ひだ状折り返し部は、前記支持バーで支持されて下方に垂れ下がりその下端でＵ字状に折り返されて立ち上がるようになされており、この状態で前記昇降コードを引き上げ操作することにより、前記カーテンを、ひだ状部分が積み重なる状態で引き上げ可能となされていることを特徴とするものである。
【００１５】
本発明に係る引き上げ式カーテン装置のより具体的な態様（第２の態様）は、横方向に延長する支持部に上縁部分が着脱可能に支持されるカーテンを、昇降コードの昇降操作によって、ひだ状部分が積み重なる状態で引き上げ可能となされ、該カーテンが完全に下ろされた状態において、該カーテンに、上下方向に所要間隔を置いてひだ状折り返し部が形成されるようになされた引き上げ式カーテン装置であって、前記カーテンの幅方向の少なくとも両側の後面側において、上下方向に延長する如く、テープ状又は紐状を呈する間隔規制部材が配置されるようになされており、該間隔規制部材は、その上端側が前記支持部に固定状態とされると共に、その下端側が前記カーテンの下方部分に着脱可能に固定状態とされる如くなされている。又前記間隔規制部材の、前記ひだ状折り返し部の上端と略対向する高さ位置に、前記昇降コードを挿通させるコード挿通部を有する案内部材が設けられ、該昇降コードの下端側が、前記間隔規制部材の下方部分に固定状態とされている。又前記案内部材に、前記保持部材が一体的に取り付けられ、該保持部材が、前記カーテンに設けた開口をその後側から前側に向けて分離可能に挿通し、前記カーテンの前面側に位置せしめられるように構成されており、又、カーテンの前面側においてカーテン幅方向に並ぶ、各保持部材の有する保持片に、カーテン幅方向に延長する直線状の支持バーが着脱可能に保持される如くなされており、前記カーテンが完全に下ろされた状態で、該保持された支持バーが、前記ひだ状折り返し部の上端を下方から支持する如くなされ、該ひだ状折り返し部は、前記支持バーで支持されて下方に垂れ下がりその下端でＵ字状に折り返されて立ち上がるようになされており、この状態で前記昇降コードを引き上げ操作することにより、前記カーテンを、ひだ状部分が積み重なる状態で引き上げ可能となされていることを特徴とするものである。
【００１６】
又、本発明に係る引き上げ式カーテン装置のより具体的な他の態様（第３の態様）は、横方向に延長する支持部に上縁部分が着脱可能に支持されるカーテンを、昇降コードの昇降操作によって、ひだ状部分が積み重なる状態で引き上げ可能となされ、該カーテンが完全に下ろされた状態において、該カーテンに、上下方向に所要間隔を置いてひだ状折り返し部が形成されるようになされた引き上げ式カーテン装置であって、前記カーテンの幅方向の少なくとも両側の後面側において、上下方向に延長する如く、テープ状又は紐状を呈する間隔規制部材が配置されるようになされており、該間隔規制部材は、その上端側が前記支持部に固定状態とされると共に、その下端側が前記カーテンの下方部分に着脱可能に固定状態とされる如くなされている。又前記間隔規制部材の、前記ひだ状折り返し部の上端と略対向する高さ位置に、前記昇降コードを挿通させるコード挿通部を有する案内部材が設けられ、該昇降コードの下端側が、前記間隔規制部材の下方部分に固定状態とされている。又前記案内部材には、カーテンの前面側に位置せしめられ且つ該カーテンと分離可能の保持部材が一体的に取り付けられるように構成され、該保持部材は、前記案内部材と別体で、前記カーテンをその前側から後側に挿通した連結部が、前記案内部材に一体的に取り付けられるように構成されている。又、カーテンの前面側においてカーテン幅方向に並ぶ、各保持部材の有する保持片に、カーテン幅方向に延長する直線状の支持バーが着脱可能に保持される如くなされており、前記カーテンが完全に下ろされた状態で、該保持された支持バーが、前記ひだ状折り返し部の上端を下方から支持する如くなされ、該ひだ状折り返し部は、前記支持バーで支持されて下方に垂れ下がりその下端でＵ字状に折り返されて立ち上がるようになされており、この状態で前記昇降コードを引き上げ操作することにより、前記カーテンを、ひだ状部分が積み重なる状態で引き上げ可能となされていることを特徴とするものである。
【００１７】
又、本発明に係る引き上げ式カーテン装置のより具体的なその他の態様（第４の態様）は、横方向に延長する支持部に上縁部分が着脱可能に支持されるカーテンを、昇降コードの昇降操作によって、ひだ状部分が積み重なる状態で引き上げ可能となされ、該カーテンが完全に下ろされた状態において、該カーテンに、上下方向に所要間隔を置いてひだ状折り返し部が形成されるようになされた引き上げ式カーテン装置であって、前記カーテンの幅方向の少なくとも両側の後面側において、上下方向に延長する如く、テープ状又は紐状を呈する間隔規制部材が配置されるようになされており、該間隔規制部材は、その上端側が前記支持部に固定状態とされると共に、その下端側が前記カーテンの下方部分に着脱可能に固定状態とされる如くなされている。又前記間隔規制部材の、前記ひだ状折り返し部の上端と略対向する高さ位置に、前記昇降コードを挿通させるコード挿通部を有する案内部材が設けられ、該昇降コードの下端側が、前記間隔規制部材の下方部分に固定状態とされている。又前記案内部材には、カーテンの前面側に位置せしめられ且つ該カーテンと分離可能の保持部材が一体的に取り付けられるように構成され、該保持部材は、前記案内部材と別体であり、且つ該案内部材には、前記カーテンをその後側から前側に挿通する連結部を有し、このように挿通した連結部が、前記保持部材に一体的に取り付けられるように構成されている。又、カーテンの前面側においてカーテン幅方向に並ぶ、各保持部材の有する保持片に、カーテン幅方向に延長する直線状の支持バーが着脱可能に保持される如くなされており、前記カーテンが完全に下ろされた状態で、該保持された支持バーが、前記ひだ状折り返し部の上端を下方から支持する如くなされ、該ひだ状折り返し部は、前記支持バーで支持されて下方に垂れ下がりその下端でＵ字状に折り返されて立ち上がるようになされており、この状態で前記昇降コードを引き上げ操作することにより、前記カーテンを、ひだ状部分が積み重なる状態で引き上げ可能となされていることを特徴とするものである。
【００１８】
前記第１〜４の各態様において、前記保持部材と前記案内部材とが、垂直面内で相対的に回動可能とするのがよい。
【００１９】
又前記各態様において、前記案内部材が、本体の上下端に、カーテンの後方に向けて突出するＵ字状のガイド片を有し、該上下のガイド片の有する透孔が前記コード挿通部を形成し、該上のガイド片の上端と該下のガイド片の下端が水平の平坦面に形成されたものとして構成するのがよい。
【００２０】
又前記第１〜４の各態様において、前記保持部材が、前記支持バーを着脱可能に弾性的に保持する如く構成するのがよい。
【００２１】
又前記第１〜４の各態様において、前記間隔規制部材は、その下端側が、前記カーテンの下方部分に着脱可能に取り付けられたウエイトバーに固定状態とするのがよい。
【００２２】
又前記第１〜４の各態様において、前記支持部を、長さ方向に移動し得るランナーが設けられたカーテンレールに着脱可能の支持杆として構成し、該支持杆は、前記カーテンレールの長さに合わせて伸縮可能に構成すると共に、前記カーテンレールの長さに略合わせて長さ調節された状態で、その少なくとも一端側が、前記カーテンレールの一端部側に着脱可能に止着されるものとなし、又該支持杆は、前記ランナーの所要のものに着脱可能に掛着し得る掛着片を有するものとして構成するのがよい。
【００２３】
又前記第１〜４の各態様において、前記支持部を、長さ方向に移動し得るランナーが設けられたカーテンレールに着脱可能の支持杆として構成し、該支持杆は、前記カーテンレールの長さに合わせて伸縮可能に構成されると共に、前記カーテンレールの長さに略合わせて長さ調節された状態で，その少なくとも一端側が、前記カーテンレールの一端部側に着脱可能に止着されるものとなし、又該支持杆は、前記ランナーの所要のものに着脱可能に掛着し得る掛着片を有し、該支持杆のいずれか一方の端部側にロック具が取り付けられたものとして構成し、又前記間隔規制部材は、その下端側が、前記カーテンの下方部分に着脱可能に取り付けられたウエイトバーに固定状態とされるものとし、又前記昇降コードが前記ロック具のコード案内路に挿通せしめられ、該コード案内路を通った昇降コードを下方に引くことによって、前記カーテンが、ひだ状部分が積み重なる状態に引き上げられる如くなし、所要の引き上げ状態で、前記昇降コードが前記ロック具によりロックされるように構成するのがよい。
【００２４】
前記間隔規制部材の下端側が、前記カーテンの下方部分に着脱可能に取り付けられたウエイトバーに固定状態とされる場合、該ウエイトバーを、前記カーテンの幅に合わせて伸縮可能に構成するのがよい。
【００２５】
【発明の実施の形態】
以下、本発明の実施の形態を図面に基づいて説明する。
図１〜４において本発明に係る引き上げ式カーテン装置（以下カーテン装置という）１は、横方向に延長する支持部２に上縁部分３が着脱可能に支持されるカーテン４を、結果的に該カーテン４に設けられたコード挿通部５を挿通する昇降コード６の昇降操作によって、ひだ状部分７が積み重なる状態に引き上げ可能となされており、又、該カーテン４が完全に下された状態においては図２に示すように、該カーテン５に、上下方向に所要間隔を隔てて、ひだ状折り返し部９が形成されるようになされている。
【００２６】
前記支持部２は、本実施の形態においては、図５に示すように、カーテンレール１０に着脱可能な支持杆２ａとして形成されている。該支持杆２ａは、伸縮可能に構成され、カーテン４の上縁部分３を着脱可能に支持するもので、該支持杆２ａの一端側に、前記カーテン４に取り付けられた前記昇降コード６をロックさせるロック具１１が固定されている。又、該支持杆２ａの前面１２の両端側の部分と中央部分に、図６〜７に示すように、前面に面状フアスナー１３が設けられた上の支持部材１５が、その下端部分１６を支持杆２ａの下縁１７から下方に突出させて固定されている。なお一端側の支持部材１５ａは、図２、図６に示すように、前記ロック具１１の稍内方に位置させて設けられている。そして該支持部材１５ａの前記下端部分１６には、図７に示すように、横長の支持孔１９と円形の取付け孔２０が設けられ、該取付け孔２０に、前記昇降コード６を横方向で挿通させるリング状の案内部２１が掛着されている。
【００２７】
前記カーテンレール１０は、前記カーテン４を吊下するために使用されている各種の既製品そのものである。図２、図８はその一例を示すもので、対向した支持片２２，２２を下端に有する軽量溝形鋼材を用いて構成されており、該対向する支持片２２，２２で下方から支持されたランナー２３がレール長さ方向に移動可能である。又該カーテンレール１０の一端には、止着孔２５が設けられた固定部材２６が嵌着固定されている。
【００２８】
又前記支持杆２ａは、図２、図９に示すように、例えばアルミニウム製の横長平板状をなす第１部材２７と第２部材２９とが、その一方の鳩尾状の係止突条３０と他方の蟻溝状の係止条溝３１とが係合した状態で重なり合っており、長さ方向に相対的にスライドして、前記カーテンレール１０の長さに合わせて伸縮可能である。
【００２９】
そして図２〜３に示すように、前記支持杆２ａの一端部側（本実施の形態においては、前記第１部材２７の一端部）３２の上端側部位に設けられた止め孔３３に、前記止着孔２５に着脱可能に掛着し得るフック状の止着片３５が取り付けられている。
【００３０】
又図１〜３、図５に示すように、前記カーテンレール１０の長さに略合わせて長さ調節された支持杆２ａの例えば両側に位置させて、フック状の掛着片３６，３６が取り付けられている。該フック状の掛着片３６は、例えば図３に示すように、該支持杆２ａを前後から弾性的に挾持し得るＵ字状挾持部３７の後側の片３９の上端に、前記ランナーの所要のもの２３ａに着脱可能に掛着し得る係止片４０を下方に屈曲形成した構成を有している。
【００３１】
前記コード挿通部５は、図３、図１２〜１３に示すように、テープ状又は紐状を呈する間隔規制部材４１に設けられた案内部材４２を以って構成されている。該間隔規制部材４１は、本実施の形態においては例えば図１０〜１１に示すように、後述する軸部６２を挿通させ得る荒い網目４３を有した、例えばポリエステル製の透明な経編平テープ４１ａを以って形成されており、図７に示すように、その上端側４５が、前記上の支持部材１５の前記支持孔１９に、挿通状態で取り付けられている。
【００３２】
そして該間隔規制部材４１には、前記ひだ状折り返し部９の上端と略対向する高さ位置において、前記昇降コード６を挿通させるコード挿通部５を有した前記案内部材４２が設けられている。又該案内部材４２には、図１０、図１４に示すように、前記ひだ状折り返し部９の上端部分でカーテン４に設けられた開口４６を後側から前側に向けて挿通する保持部材４７が一体化される。
【００３３】
該案内部材４２は、図１０、図１３〜１４に示すように、円板体の上下を切欠した横長楕円形状を呈し且つその中央部に円形状の係合孔４９が設けられた本体５０の上下端に、カーテンの後方に向けて突出するＵ字状のガイド片５１ａ，５１ｂが、その両基端部分４４，４４を前記本体５０の上下端に重ねて設けられている。本実施の形態においては、該上のガイド片５１ａの上端４８及び下のガイド片５１ｂの下端５２が水平な平坦面に形成されている。そして、該上下のガイド片５１ａ，５１ｂに、上下方向の透孔５３，５３からなる前記コード挿通部５が設けられている。又、前記係合孔４９は、図１４に示すように、前記本体５０を、その前端５５から後端５６に向けて貫通するもので、その前側の孔部５７は、前端から後端に向けて稍小径となる円錐孔状に形成されると共に、該前側の孔部５７の小径の後端に、段差面５９を介して、大径に拡張する後側の孔部６０が連設されている。
【００３４】
又前記保持部材４７は、図１０、図１３〜１４に示すように、基板６１の後面中央部に、前記係合孔４９に押し込まれる円柱状の軸部６２が突設され、該軸部６２は、前記前側の孔部５７を挿通し得る円柱部６３の後端に、段差面６５を介して、後方に向けて先細となる円錐軸部６６を連設した構成を有しており、軸線方向の割溝６７により、一対の軸片６９，６９に二分割されている。そして該軸部６２が前記係合孔４９に、その前端から後端に向けて押し込まれるに伴い、両軸片６９，６９が向き合う方向に弾性変形せしめられ、軸部の先側部分が前記前側の孔部５７の小径の後端を通過した後、両軸片６９，６９の前記段差面６５が、前記係合孔４９の段差面５９と係合状態となることにより、相互が脱落不能に一体化され、この状態で、案内部材４２と保持部材４７とがその軸線回りに相対的に回動可能となる。
【００３５】
又、前記基板６１の前面部の上下側に、保持片７１，７１が間隔を置いて前方に向け突設されている。該保持片７１，７１の前側部分の内面間で、入口７２が幅狭である保持孔部７３が形成されており、両保持片の後側部分の内面７５，７５は、後方に向けハの字状に拡大して案内面部７６を形成している。
【００３６】
かかる構成を有する案内部材４２と保持部材４７とが前記間隔規制部材４１に取り付けられるのであるが、その際、前記軸部６２を、間隔規制部材４１の所要部位に（本実施の形態においては、図１１に示すように、テープの網目４３を押し広げて形成された孔部）に前記軸部６２を挿通せしめて後、該軸部６２を前記案内部材４２の前記係合孔４９に押し込んで行う。これにより、図１４に示すように、テープ状をなす間隔規制部材４１の後面に案内部材４２が突出すると共に、その前面に保持部材４７が突出した状態となっている。
【００３７】
前記カーテン４は、図１５に示すように、前記支持杆２ａの長さと略同幅に形成された編物や織物等の平面的なシートを以ってなる。そして、該カーテン４の幅方向の両端側と中央部において、上下所要間隔で前記矩形状の開口４６が並設されている。該開口４６は、例えばレーザー加工により形成され、その縁７９（図１０）が融着され、ほつれが防止されている。そして図１５に示すように、上下隣り合う開口４６，４６間の長さＬ１は、間隔規制部材４１に設けた上下の案内部材４２，４２間の長さＬ２よりも長く形成されている。例えば、上下の案内部材４２，４２間の長さＬ２を２０ｃｍに設定し、上下隣り合う開口４６，４６間の長さＬ１を４０ｃｍ程度と長く設定する。
【００３８】
又該カーテン４の上縁部分３の後面に、前記面状ファスナー１３と、図１６に示すように着脱可能に係合し得る面状ファスナー８０が取り付けられと共に、図１５に示すように、該カーテン４の下縁部分８１の後面に、該カーテン４の幅方向に延長するウエイトバー８２を着脱可能に設けるための面状ファスナー８３が設けられている。該ウエイトバー８２は、前記支持杆２ａにおけると同様に伸縮可能に構成されている。
【００３９】
そして図１、図４、図６、図１７に示すように、該ウエイトバー８２の前面８４の両端側と中央部に、面状フアスナー８５が前面に設けられた下の支持部材８６が、その上端部分８７を該ウエイトバー８２の上縁８９から上方に突出させて固定されている。該下の支持部材８６の前記上端部分８７には、横長の支持孔９１が設けられている。なお本実施の形態においては、該下の支持部材８６は前記上の支持部材１５を上下逆の態様で用いている。又、垂下状態にある前記３本の間隔規制部材４１の夫々の下端側９２が、図１、図４、図６、図１８に示すように、下の支持部材８６の前記支持孔９１に挿通状態で取り付けられている。
【００４０】
又前記昇降コード６は、図１〜４、図１２に示すように、上下方向で並設された前記案内部材４２の有するコード挿通部５に挿通せしめられると共に、図４に示すように、その下端側９３が、前記間隔規制部材４１の下方部分（本実施の形態においては下端近傍）９５に固定状態とされる。この固定状態は、例えば結着手段、或いは図４、図１８に示すように、昇降コード６の下端に設けた突部９６を、前記間隔規制部材４１に設けた最下端の案内部材４２ａの下縁９９と係合させる等により行われる。
【００４１】
そして本実施の形態においては、前記案内部材４２が、前記保持部材４７に対して軸線回りに回動可能（案内部材４２と保持部材４７とが垂直面内で相対的に回動可能）であるため、上下の透孔５３，５３からなるコード挿通部５を挿通した昇降コード６は、常に垂直状態を維持できる。
【００４２】
また各昇降コード６，６，６は、前記案内部２１を挿通して前記ロック具１１側に延長せしめられ、３本の昇降コード６，６，６が、図１９に示すように、該ロック具１１のコード案内路１００に挿通せしめられている。
【００４３】
該ロック具１１は、図１９〜２０に示すように、該コード案内路１００にロックローラ１０２が納設されている。該ロックローラ１０２は、図１９〜２０に矢印ｆ１で示す斜め方向で上下動可能であり、上方向に移動するにつれ、該ロックローラ１０２とコード案内路１００の外側の壁面１０３との間の距離が小さくなるように構成されている。そして前記３本の昇降コード６，６，６は、これを図１９に矢印ｆ２で示すように内側に傾けたときに前記ロックローラ１０２の周面１０５に接触可能となるように、前記コード案内路１００に下向きに挿通せしめられている。
【００４４】
又、図１４、図２１に示すように前記保持部材４７を前記開口４６を通してカーテン４の前面側１０６に突出状態として後、左右方向で並設された保持部材４７，４７，４７の有する前記保持孔部７３で、カーテンの幅方向に延長する直線状をなす支持バー１０７の両端部分及び中央部分を保持させる。該支持バー１０７は、例えばガラス繊維製やアルミニウム製、真鍮製、鉄製、ステンレス製などの棒材（例えば丸棒材）を用いて形成できる。この保持は、前記支持バー１０７を前記案内面部７６を通して保持孔部７３内に押し込むことにより行なわれる。このようにして押し込まれることにより、両保持片７１，７１が、前記支持バー１０７を弾性的に挾持した状態となり、該支持バー１０７が不用意に保持部材４７から脱落する恐れがない。
【００４５】
カーテン４が完全に下ろされた状態においては、図２、図２０に示すように、カーテンの前記ひだ状折り返し部９の上端１０９が該支持バー１０７によって下方から支持される。上下の支持バー間の間隔は、例えば２０ｃｍ程度に設定される。該ひだ状折り返し部９は、該支持バー１０７で支持されて垂れ下がり、その下端１１０でＵ字状に折り返えされて上に立ち上がるようになされており、その立上り部１１１が、上段の支持バー１０７ａを経由して（支持バー１０７ａで下方から支持されて）自然なカーブで湾曲して垂れ下がるようになされている。例えば８ｃｍ程度垂れ下がる。そして、最上段に位置する立上り部１１１ａの上端側の部分は、図２に示すように、カーテンの前記上縁部分３を構成している。又図４に示すように、最下端に位置する垂れ下がり部１２０の下側の部分は、前記カーテンの下縁部分８１を構成している。
【００４６】
そして、前記コード案内路１００を通った３本の昇降コード６，６，６を下方に引くと、図２２〜２３に示すように、上の案内部材４２ｂの下のガイド片５１ｂの先側部分１０４と下の案内部材４２ｃの上のガイド片５１ａの先側部分１０８とが略面接触の状態となり、前記ひだ状折り返し部９の、横方向の直線性がより良好に保たれて、ひだ状部分７が積み重なる状態でカーテン４が引き上げられていく。
【００４７】
そして、所要の引き上げ状態で前記ロック具１１をロック状態に作動させる。この作動は、前記昇降コード６，６，６の束を、図１９に矢印ｆ２で示すように内側にしゃくるように傾けて前記ロックローラ１０２の周面１０５に接触させて行う。引き上げたカーテンが自重で下降しようとすることに伴う前記昇降コードの戻り作用により、前記ロックローラ１０２が図２０に示すように上昇し、その結果、各昇降コード６が該ロックローラ１０２とコード案内路１００の外側の壁面１０３との間で挾持された状態となる。これにより昇降コード６がロックされ、従って、カーテン４の所要の引き上げ状態が保持されることになるのである。
【００４８】
又前記とは逆に、前記昇降コード６，６，６の束を図２０に矢印ｆ３で示すように外側にしゃくるように傾けることにより、昇降コード６と前記ロックローラ１０２との接触が解除されて該ロックローラ１０２が図１９に示すように下に落ちる。これにより前記挾持状態が解除されるため、カーテン４を下ろすことができる。
【００４９】
本実施の形態においては、前記支持杆２ａに設けられた止着片３５を、図３に示すように、前記カーテンレール１０の一端側に設けられた止着孔２５に掛着させる構成を採用するため、該カーテンレール１０の長さ方向（横方向）での支持杆２ａの移動を規制できる。従って、前記昇降コード６を前記ロック具１１によりロックさせる際やロックを解除する際に、前記のように昇降コード６を横方向でしゃくっても、該支持杆２ａの不用意な横移動を防いで該ロック操作及びロック解除操作を確実に行うことができる。
【００５０】
然して、前記カーテン装置１を組み立てるには、前記支持杆２ａを、カーテンレール１０の長さに合わせて所要に長さ調節する。その後、図３に示すように、該支持杆２ａに設けられた止着片３５を前記カーテンレールの一端部側に設けられた止着孔２５に掛着させると共に、該支持杆２ａに取り付けられた前記掛着片３６を所要のランナー２３の係止孔１２２に掛着させる。また図１、図６に示すように、前記３本のテープ状の間隔規制部材４１の上端側部分４５と下端側部分９２を該支持杆２ａと、前記ウエイトバー８２に固定する。そして、該間隔規制部材４１に、その長さ方向（上下方向）で所要間隔をおいて設けられている前記案内部材４２のコード挿通部５に順次、前記昇降コード６を通して、該昇降コード６の下端側９３を、図４、図２２に示すように、間隔規制部材４１の下方部分（本実施の形態においては下端近傍）９５に固定状態とする。
【００５１】
そして３本の昇降コード６，６，６を前記案内部２１，２１，２１に通して前記ロック具１１のコード案内路１００に通す。又、前記カーテン４の上縁部分３を、図１７に示すように、前記面状ファスナー１３，８０を介して前記支持杆２ａに固定する。
【００５２】
その後、図１４に示すように、前記間隔規制部材４１を介在させて前記案内部材４２と一体化している前記保持部材４７を、カーテン４に設けた前記開口４６を通してカーテンの後側から前面側に突出状態に位置せしめ、然る後、カーテン４の幅方向に延長する前記支持バー１０７の両端部分及び中央部分を、前記両側及び中央の保持部材４７，４７，４７に弾性的に保持させる。これにより、保持された前記支持バー１０７が、前記案内部材４２がカーテン４から脱落するのを防ぐ抜け止めとしても機能する。そして、カーテン４が完全に下ろされた状態において、図２、図２１に示すように、該支持バー１０７により上端１０９が下方から支持されてなるひだ状折り返し部９が、カーテンの上下方向に所要間隔で形成されることになる。
【００５３】
該ひだ状折り返し部９の上端１０９は、カーテン幅方向に直線状を呈するため、該折り返し部がすっきりしたシャープな印象を与え、カーテンの外観を向上させ得る。またカーテンを下ろした状態で、図２に示すように、ひだ状折り返し部９が上下方向に所要間隔を置いて形成されるため、カーテンが薄地の物であっても、該ひだ状折り返し部９が目隠し機能を発揮する。これにより、薄地のシート状のカーテンを吊下した場合とは異なり、室内を効果的に目隠しできる。
【００５４】
前記支持バー１０７がカーテンの前面側に現れるにも関わらず、カーテンを下ろした状態において、該前面側の支持バー１０７が、カーテンの前記ひだ状折り返し部９によって覆い隠されることになる。
【００５５】
図１５は、前記カーテン４を洗濯するためにカーテン装置１を分解する工程を説明するものでもあり、前記支持バー１０７を、左右方向に並設された保持部材４７，４７，４７から取り外すと共に、各保持部材４７をカーテン４から取り外す。また、前記間隔規制部材４１の下端側をカーテン４から分離させるのであるが、前記ウエイトバー８２を、前記面状ファスナー８３，８５の係合（図１７）を解除して前記カーテン４から取り外せば、間隔規制部材４１の下端側９２がカーテン４から分離されることとなる。その後カーテン４の上縁部分３を、前記面状ファスナー１３，１８の係合（図１６）解除によって前記支持杆２ａから分離させると、カーテン４は一枚のシート状物として取り外されることになり、容易に洗濯できる。
【００５６】
洗濯後は図１６に示すように、該シート状のカーテン４の上縁部分３を、前記支持杆２ａに面状ファスナー１３，８０を介して支持させると共に、図１７に示すように、カーテンの下縁部分８１に、面状ファスナー８３，８５の係合により前記ウエイトバー８２を取り付ける。又前記と同様の要領で、各保持部材４７を、カーテンに設けられている開口４６に後側から挿通させ、これをカーテンの前面側に位置せしめ、然る後、カーテンの幅方向に並ぶ各保持部材４７，４７，４７に前記支持バー２ａを保持させればよい。
【００５７】
〔その他の実施の形態〕                                                    本発明は、前記実施の形態で示したものに限定されるものでは決してなく、「特許請求の範囲」の記載内で種々の設計変更が可能であることはいうまでもない。その一例を挙げれば次のようである。
【００５８】
(1) 図２４、図２５に示すカーテン装置は、カーテン４に前記のような開口４６を設けないタイプのものである。
図２４に示すカーテン装置は、前記保持部材４７に針状の連結部１２５を突設し、該連結部１２５を、カーテンの前面側から後側に向けて突き刺して後、カーテンの裏側に突出した該連結部１２５を前記案内部材４２の取付孔１２６に挿入状態にして取り付け、該案内部材４２と該保持部材４７とを一体化するよう構成されている。
又図２５に示すカーテン装置は、これとは逆に、前記案内部材４２に針状の連結部１２５を突設し、該連結部１２５を、カーテンの後面側から前側に向けて突き刺して後、カーテンの前側に突出した針状の連結部１２５を、カーテンの前面側に配置される保持部材４７に設けた取付孔１２６に挿入状態にして取り付け、該案内部材４２と該保持部材４７とを一体化するように構成されている。
そして前記と同様にして、案内部材４２に設けられたコード挿通部５に昇降コード６が挿通せしめられると共に、保持部材４７に支持バー１０７が着脱自在に保持せしめられる。
これらのカーテン装置１において、前記支持バー１０７を取り外すと共に、前記針状の連結部１２５を前記案内部材４２や前記保持部材４７から取り外せば、案内部材４２及び保持部材４７を、カーテンと独立させることができる。
なお、図１０に示す開口４６が小さくて、前記のように該保持部材４７を前記開口４６に通し難いときは、図２６に示すように、該保持部材４７に設けられた前記軸部６２を開口４６に挿通させ、該軸部６２を前記案内部材４２に設けられた係合孔４９に押し込むこととしてもよい。
【００５９】
(2) 前記保持部材４７に前記支持バー１０７を着脱可能に保持させる構成は、前記のように一対の挟持片７１，７１間で支持バー１０７を弾性的に挟持する構成の他、各種の挟持手段を採用できる。
又図２７に示すように、前記支持バー１０７を挿通させる閉じた挿通孔１２７を前記保持部材４７に設ける場合もある。このように構成した場合、支持バー１０７が挿通孔１２７から外れるのを防止するために、支持バーの端部にキャップ状の抜け止め具を装着する等の手段を講ずるものとする。或いは、該支持バー１０７を挿通孔１２７に窮屈に挿通可能とする。
【００６０】
(3) 前記間隔規制部材４１は、前記のようにテープ状に形成されることの他、丸紐状等の紐状に形成されることもある。
【００６１】
(4) 前記案内部材４２と保持部材４７の双方、又は案内部材４２を、テープ状物や紐状物に対して、射出成形により一体に設ける場合もある。
【００６２】
(5) 間隔規制部材４１の下端側を前記カーテン４の下方部分に着脱可能に固定状態とする構成は、カーテンに着脱可能の前記ウエイトバーを介して行うことの他、該下端側を、前記下方部分に、フック掛着方式や面状フアスナ等を用いて着脱可能に固定状態としてもよい。
【００６３】
(6) 間隔規制部材４１の下端側を前記カーテン４の下方部分に着脱可能に固定状態とする場合における該カーテンの下方部分とは、カーテンの最下端部分に限定されるものではなく、カーテンの引き上げ状態のデザイン等を考慮して最下端部分よりも上側部位に設定されることもある。
【００６４】
(7) 昇降コードの下端側を間隔規制部材の下方部分に固定状態とする場合における該間隔規制部材の下方部分とは、間隔規制部材の最下端部分に限定されるものではなく、最下端部分よりも上側部位に設定されることもある。
【００６５】
【発明の効果】
本発明は以下の如き優れた効果を奏する。
(1) 本発明に係る引き上げ式カーテン装置によるときは、テープ状や紐状を呈する間隔規制部材による間隔規制作用と、カーテンの前面側に配置された保持部材により保持された支持バーのカーテン支持作用により、カーテンが完全に下ろされた状態において、カーテン面に上下所要間隔で、カーテン幅方向に直線状に延長する見栄えのよいシャープな印象のひだ状折り返し部を形成できる。
加えて、該ひだ状折り返し部の上端を直線状をなす支持バーで下方から支持するため、ひだ状折り返し部の上縁に沿って補強用テープを貼着したり、支持用バーを挿入するための管状部を縫製により形成する前記従来のカーテン装置による場合とは異なり、ひだ状折り返し部の上端部分を自然なカーブで見栄えよく湾曲させることができる。又、該管状部の縫製部分がカーテンの美観を損なうといった従来の問題点も解決でき、これらにより、従来のカーテン装置によっては得られない、見栄えに一層優れたカーテン装置を提供できることとなる。
【００６６】
(2) 又、カーテンが完全に下ろされた状態において、ひだ状折り返し部が上下所要間隔で形成されることから、カーテンが薄地のものであっても、室内を効果的に目隠しできる。
【００６７】
(3) 更に本発明によるときは、ひだ状折り返し部の上端を支持する支持バーがカーテンの前面側に配置されるものではあっても、該支持バーが前記ひだ状折り返し部によって覆い隠された状態となるために、カーテンをその前側から見た場合に、該支持バーが露出してカーテン外観に違和感をもたらすといった不具合がない。勿論、カーテンの裏側から見た場合も、該支持バーがカーテンに覆い隠された状態となるために、支持バーが露出してカーテン外観に違和感をもたらすといった不具合もない。
【００６８】
(4) 本発明に係るカーテン装置が、前記間隔規制部材の有する保持部材を、カーテンに設けた開口を通してカーテンの前面側に配置し、該保持部材に支持バーを保持させる構成を採用するときは、該支持バーを取り外すことにより、カーテンを保持部材及び案内部材と容易に分離させ得る。
又本発明に係るカーテン装置が、カーテンの前面側に配置した保持部材を、針状等をなす連結部をカーテンに挿通させて後、該連結部を、保持部材や案内部材に取り付ける構成を採用するときは、該保持部材を前記案内部材から取り外すことによって、カーテンを、保持部材及び案内部材と容易に分離させ得る。
従って、これらの場合、カーテンの上縁部分を前記支持部から分離させると共に、前記間隔規制部材の下端側をカーテンの下方部分から分離させることにより、カーテンを１枚のシート状物として独立させ得る。これにより、カーテンの洗濯を容易に行うことができると共に、洗濯後においては前記と逆の操作によって、該シート状のカーテンを用いて本発明に係る引き上げ式カーテン装置を容易に構成できる。
補強用テープを貼着したり、支持用バーを挿入させるための管状部を縫製で形成する前記従来装置によるときは、カーテンの洗濯に際して、該補強用テープをカーテンから取り外す必要があり、又該管状部から支持用バーを抜き取る必要があって、この際、管状部の端部の縫製をほどく必要もあった。しかも洗濯後においては、慎重な位置合わせを要する面倒な補強テープ貼着作業を強いられたり、管状部内に支持用バーを挿入しなければならない面倒さがあったのであるが、本発明によるときこのような面倒な作業を要さない。
【００６９】
(5) 本発明に係るカーテン装置によるときは、従来におけるような面倒な補強テープ貼着作業や、支持用バーを挿入させるための管状部を縫製で形成するといった手間のかかる作業を必要としない。加えて、コード挿通部が並設されたテープをカーテンに正しく位置決めして縫製しなければならないといった面倒な手間のかかる作業を必要としない。
本発明は、このような面倒な製造工程を要さず、カーテンに設けた開口に保持部材を挿入状態に取り付けたり、保持部材又は案内部材に設けた針状等の連結部をカーテンに挿通させると共に、これを案内部材又は保持部材に一体的に取り付け、カーテンの前面側に配置された保持片に支持バーを着脱可能に保持させるだけの簡易な操作によって、カーテン装置を能率良く組み立てることができるため、製造コストの低減を期し得ると共に、カーテン装置の分解も容易である利点を有するのである。
【００７０】
(6) 前記保持部材と前記案内部材とを、垂直面内で相対的に回動可能とした場合は、該保持部材を案内部材に装着しさえすれば、該垂直面内での回動によって、コード挿通部を挿通する昇降コードが、常に垂直状態を維持できることとなる。これにより、カーテンの昇降を無理なく円滑に行なわせることができる。
【００７１】
(7) 前記支持杆をカーテンレールの長さに合わせて伸縮可能に構成した場合は、その長さ調節により、窓開口部等に設けられている既存のカーテンレールをそのまま用いて、これに適合する状態でカーテン装置を容易に構成できる。
【００７２】
(8) 前記案内部材を、本体の上下端部にガイド片を有したものとし、該上下のガイド片に、上下方向の透孔からなるコード挿通部を設け、該上のガイド片の上端と下のガイド片の下端を水平な平坦面に形成した場合は、カーテンを引き上げたときに、上の案内部材の下のガイド片が下の案内部材の上のガイド片に略面接触状態に接触可能となるため、ひだ状部分の直線性がより良好に保たれた状態で、且つひだ状部分が安定的に積み重なってカーテンが引き上げられる利点がある。
【図面の簡単な説明】
【図１】  本発明に係るカーテン装置を示す正面図である。
【図２】  その上側部分を示す斜視図である。
【図３】  本発明に係るカーテン装置の上側部分を、ロック具が設けられている側で示す部分斜視図である。
【図４】  本発明に係るカーテン装置を、その一部が引き上げられた状態で示す部分斜視図である。
【図５】  本発明に係るカーテン装置を分解して示す斜視図である。
【図６】  本発明に係るカーテン装置を、カーテンを取り外した状態で示す正面図である。
【図７】  カーテンの上縁部分を着脱可能に支持する支持杆に対する間隔規制部材の取り付け状態を示す斜視図である。
【図８】  カーテンレールの構成をランナーと共に示す部分斜視図である。
【図９】  支持杆の構成を示す部分斜視図である。
【図１０】  昇降コードを挿通させる案内部材と、支持バーを保持する保持部材を示す斜視図である。
【図１１】  テープ状をなす間隔規制部材を示す部分正面図である。
【図１２】  昇降コードを挿通させる案内部材を間隔規制部材に取り付けた状態で示す斜視図である。
【図１３】  昇降コードを挿通させる案内部材と、支持バーを支持する保持部材を示す斜視図である。
【図１４】  案内部材と保持部材とを一体化し、案内部材に昇降コードを挿通させると共に保持部材に支持バーを保持させた状態を示す断面図である。
【図１５】  カーテン装置を分解して示す斜視図である。
【図１６】  カーテン装置の上端側の構成を説明する断面図である。
【図１７】  カーテン装置の下端側の構成を説明する断面図である。
【図１８】  ウエイトバーに対する間隔規制部材の取り付け状態を示す正面図である。
【図１９】  ロック具の構成をその作用と共に示す断面図である。
【図２０】  ロック具の構成をその作用と共に示す断面図である。
【図２１】  ひだ状折り返し部の上端を支持バーで支持した状態を示す部分斜視図である。
【図２２】  カーテンの引き上げ状態を、案内部材が積み重なった状態で示す部分斜視図である。
【図２３】  その断面図である。
【図２４】  案内部材と保持部材の他の態様を示す斜視図である。
【図２５】  案内部材と保持部材のその他の態様を示す斜視図である。
【図２６】  案内部材と保持部材とを一体化する他の態様を示す斜視図である。
【図２７】  保持部材の他の態様を、支持バーを保持した状態で示す斜視図である。
【図２８】  従来の引き上げ式カーテン装置を示す斜視図である。
【図２９】  その断面図である。
【図３０】  従来の引き上げ式カーテン装置の他の態様を示す斜視図である。
【図３１】  カーテンに縫着された管状部に支持用バーが挿入された状態を示す部分斜視図である。
【符号の説明】
１  カーテン装置
２  支持部
３  上縁部分
４  カーテン
５  コード挿通部
６  昇降コード
７  ひだ状部分
９  ひだ状折り返し部
１０  カーテンレール
１１  ロック具
４１  間隔規制部材
４２  案内部材
４６  開口
４７  保持部材
４９  係合孔
５０  本体
５１ａ  ガイド片
５１ｂ  ガイド片
８２  ウエイトバー
【図１】
0003717162.tif 000002
【図２】
0003717162.tif 000003
【図３】
0003717162.tif 000004
【図４】
0003717162.tif 000005
【図５】
0003717162.tif 000006
【図６】
0003717162.tif 000007
【図７】
0003717162.tif 000008
【図８】
0003717162.tif 000009
【図９】
0003717162.tif 000010
【図１０】
0003717162.tif 000011
【図１１】
0003717162.tif 000012
【図１２】
0003717162.tif 000013
【図１３】
0003717162.tif 000014
【図１４】
0003717162.tif 000015
【図１５】
0003717162.tif 000016
【図１６】
0003717162.tif 000017
【図１７】
0003717162.tif 000018
【図１８】
0003717162.tif 000019
【図１９】
0003717162.tif 000020
【図２０】
0003717162.tif 000021
【図２１】
0003717162.tif 000022
【図２２】
0003717162.tif 000023
【図２３】
0003717162.tif 000024
【図２４】
0003717162.tif 000025
【図２５】
0003717162.tif 000026
【図２６】
0003717162.tif 000027
【図２７】
0003717162.tif 000028
【図２８】
0003717162.tif 000029
【図２９】
0003717162.tif 000030
【図３０】
0003717162.tif 000031
【図３１】
0003717162.tif 000032